(57)【要約】【課題】ショートアイアンでのショットにおけるコントロール性能に優れ、かつ非力なプレーヤーのドライバーでのショットにおける飛距離にも優れたゴルフボールの提供【解決手段】ゴルフボールは、その表面に多数の露出部２２を有している。これら露出部２２の高さＨの平均値Ｈavは、０．５μｍ以上５０μｍ以下である。このゴルフボールの表面は、１又は２以上の第一ゾーンと、１又は２以上の第二ゾーンとを有している。これらの第一ゾーンにおける露出部２２の高さＨの平均値Ｈav１は、これらの第二ゾーンにおける露出部２２の高さＨの平均値Ｈav２よりも大きい。好ましくは、平均値Ｈav１と平均値Ｈav２とは、下記数式を満たす。    ３ ≦ （Ｈav１ −Ｈav２） ≦ ５０【選択図】図６
2020138009.tif 000002
【特許請求の範囲】
【請求項１】
コアと、このコアの外側に位置するカバーとを備えたゴルフボールであって、
上記カバーが、その表面に複数の微小突起を有しており、
それぞれの微小突起が、上記ゴルフボールの表面に露出する露出部を有しており、
上記露出部の高さＨの平均値Ｈavが、０．５μｍ以上５０μｍ以下であり、
上記ゴルフボールの表面が、１又は２以上の第一ゾーンと、１又は２以上の第二ゾーンとを有しており、
これらの第一ゾーンにおける上記露出部の高さＨの平均値Ｈav１が、これらの第二ゾーンにおける上記露出部の高さＨの平均値Ｈav２よりも大きいゴルフボール。
【請求項２】
上記第一ゾーンの合計面積の上記ゴルフボールの仮想球の表面積に対する比Ｓ１と、上記第二ゾーンの合計面積の上記ゴルフボールの仮想球の表面積に対する比Ｓ２とが、下記数式を満たす請求項１に記載のゴルフボール。
１ ≦ （Ｓ１ ／ Ｓ２） ≦ １９
【請求項３】
上記平均値Ｈav１と上記平均値Ｈav２とが、下記数式を満たす請求項１又は２に記載のゴルフボール。
３ ≦ （Ｈav１ −Ｈav２） ≦ ５０
【請求項４】
それぞれの第一ゾーンにおける算術平均高さＳａ１が、いずれの第二ゾーンにおける算術平均高さＳａ２よりも大きい請求項１から３のいずれかに記載のゴルフボール。
【請求項５】
それぞれの第一ゾーンにおける最大高さＳｚ１が、いずれの第二ゾーンにおける最大高さＳｚ２よりも大きい請求項１から４のいずれかに記載のゴルフボール。
【請求項６】
上記カバーを部分的に覆うペイント層をさらに備えており、上記露出部がこのペイント層から突出している請求項１から５のいずれかに記載のゴルフボール。
【請求項７】
コアと、このコアの外側に位置するカバーとを備えたゴルフボールの製造方法であって、
そのキャビティ面に複数の微小凹みを有する金型に、材料を導入する工程、
及び
上記材料から、上記微小凹みの形状が反転した形状を有する露出部を備えたカバーを成形する工程
を含み、
上記露出部の高さＨの平均値Ｈavが、０．５μｍ以上５０μｍ以下であり、
上記ゴルフボールの表面が、１又は２以上の第一ゾーンと、１又は２以上の第二ゾーンとを有しており、
これらの第一ゾーンにおける上記露出部の高さＨの平均値Ｈav１が、これらの第二ゾーンにおける上記露出部の高さＨの平均値Ｈav２よりも大きいゴルフボールの製造方法。
【請求項８】
コアと、このコアの外側に位置するカバーとを備えたゴルフボールの製造方法であって、
そのキャビティ面に複数の微小凹みを有する金型に、材料を導入する工程、
上記材料から、上記微小凹みの形状が反転した形状を有する微小突起を備えた上記カバーを成形する工程、
及び
上記カバーの表面にペイント層を形成し、このペイント層から上記微小突起の一部を露出させて露出部を形成する工程
を含み、
上記露出部の高さＨの平均値Ｈavが、０．５μｍ以上５０μｍ以下であり、
上記ゴルフボールの表面が、１又は２以上の第一ゾーンと、１又は２以上の第二ゾーンとを有しており、
これらの第一ゾーンにおける上記露出部の高さＨの平均値Ｈav１が、これらの第二ゾーンにおける上記露出部の高さＨの平均値Ｈav２よりも大きいゴルフボールの製造方法。
【発明の詳細な説明】
【技術分野】
【０００１】
本発明は、ゴルフボールに関する。詳細には、本発明は、その表面に微小突起を有するゴルフボールに関する。
【背景技術】
【０００２】
ゴルフクラブのフェースは、ロフト角を有している。このゴルフクラブでゴルフボールが打撃されると、ゴルフボールに、ロフト角に起因するバックスピンが生じる。ゴルフボールは、バックスピンを伴って飛行する。
【０００３】
ゴルフボールは、その表面に多数のディンプルを備えている。ディンプルは、飛行時のゴルフボール周りの空気の流れを乱し、乱流剥離を起こさせる。この現象は、「乱流化」と称される。乱流化によって空気のゴルフボールからの剥離点が後方にシフトし、抗力が低減される。乱流化によってバックスピンに起因するゴルフボールの上側剥離点と下側剥離点とのズレが助長され、ゴルフボールに作用する揚力が高められる。抗力の低減及び揚力の向上は、「ディンプル効果」と称される。優れたディンプルは、よりよく空気の流れを乱す。優れたディンプルは、大きな飛距離を生む。プレーヤーは、大きな飛距離を望んでいる。
【０００４】
プレーヤーは、ゴルフボールのスピン性能も重視する。バックスピンの速度が大きいと、ランが小さい。バックスピンの速度が大きなゴルフボールを使用することにより、プレーヤーは、このゴルフボールを目標地点に静止させることができる。サイドスピンの速度が大きいと、ゴルフボールは曲がりやすい。サイドスピンの速度が大きなゴルフボールを使用することにより、プレーヤーは、このゴルフボールを意図的に曲げることができる。スピン性能に優れたゴルフボールは、コントロール性能に優れる。プレーヤーは、特にショートアイアンでのショットにおけるコントロール性能を重視する。
【０００５】
特開２０１５−１４２５９９公報には、粗さが大きな表面を有するゴルフボールが開示されている。この粗さは、ブラスト処理等によって形成されうる。この粗さは、ディンプルとの相乗効果により、ゴルフボールの空力特性を高める。
【０００６】
特開２０１１−７２７７６公報には、粒子を含む塗料によって形成されたコーティングを有するゴルフボールが開示されている。この粒子は、ディンプルとの相乗効果により、ゴルフボールの空力特性を高める。
【０００７】
特開平２−６８０７７号公報には、その底部に１つの凸部を有するディンプルを備えたゴルフボールが開示されている。この凸部を有するディンプルは、ゴルフボールの空力特性を高める。
【０００８】
特表２０１４−５２０６５４公報には、ミクロの表面粗さを有するコーティングを備えたゴルフボールが開示されている。このゴルフボールの表面は、粗さが大きなゾーンと、粗さが小さなゾーンとを有する。このコーティングは、ゴルフボールの空力特性を高める。
【先行技術文献】
【特許文献】
【０００９】
【特許文献１】特開２０１５−１４２５９９公報
【特許文献２】特開２０１１−７２７７６公報
【特許文献３】特開平２−６８０７７号公報
【特許文献４】特表２０１４−５２０６５４公報
【発明の概要】
【発明が解決しようとする課題】
【００１０】
ドライバーでのショットにおいて大きな飛距離が得られるには、長い滞空時間が必要である。大きな角度で打ち出されたゴルフボールの滞空時間は、長い。大きな打ち出し角度を得る目的で、非力なプレーヤーは、ロフト角が大きいゴルフクラブを使用する傾向がある。しかし、このゴルフクラブで打撃されると、ゴルフボールは、大きなスピン速度を伴って飛行する。大きなスピン速度は、ゴルフボールのホップを誘発する。ホップが生じた弾道では、大きな飛距離は達成され得ない。
【００１１】
本発明の目的は、ショートアイアンでのショットにおけるコントロール性能に優れ、かつ非力なプレーヤーのドライバーでのショットにおける飛距離にも優れたゴルフボールの提供にある。
【課題を解決するための手段】
【００１２】
本発明に係るゴルフボールは、コアと、このコアの外側に位置するカバーとを備える。このカバーは、その表面に複数の微小突起を有する。それぞれの微小突起は、ゴルフボールの表面に露出する露出部を有する。露出部の高さＨの平均値Ｈavは、０．５μｍ以上５０μｍ以下である。このゴルフボールの表面は、１又は２以上の第一ゾーンと、１又は２以上の第二ゾーンとを有する。これらの第一ゾーンにおける露出部の高さＨの平均値Ｈav１は、これらの第二ゾーンにおける露出部の高さＨの平均値Ｈav２よりも大きい。
【００１３】
好ましくは、第一ゾーンの合計面積のゴルフボールの仮想球の表面積に対する比Ｓ１と、第二ゾーンの合計面積のゴルフボールの仮想球の表面積に対する比Ｓ２とは、下記数式を満たす。
１ ≦ （Ｓ１ ／ Ｓ２） ≦ １９
【００１４】
好ましくは、平均値Ｈav１と平均値Ｈav２とは、下記数式を満たす。
３ ≦ （Ｈav１ −Ｈav２） ≦ ５０
【００１５】
好ましくは、それぞれの第一ゾーンにおける算術平均高さＳａ１は、いずれの第二ゾーンにおける算術平均高さＳａ２よりも大きい。好ましくは、それぞれの第一ゾーンにおける最大高さＳｚ１は、いずれの第二ゾーンにおける最大高さＳｚ２よりも大きい。
【００１６】
ゴルフボールが、カバーを部分的に覆うペイント層をさらに備えてもよい。露出部は、このペイント層から突出する。
【００１７】
他の観点によれば、本発明に係る製造方法により、コアと、このコアの外側に位置するカバーとを備えたゴルフボールが製造される。この製造方法は、
そのキャビティ面に複数の微小凹みを有する金型に、材料を導入する工程、
及び
この材料から、微小凹みの形状が反転した形状を有する露出部を備えたカバーを成形する工程
を含む。露出部の高さＨの平均値Ｈavは、０．５μｍ以上５０μｍ以下である。ゴルフボールの表面は、１又は２以上の第一ゾーンと、１又は２以上の第二ゾーンとを有する。これらの第一ゾーンにおける露出部の高さＨの平均値Ｈav１は、これらの第二ゾーンにおける露出部の高さＨの平均値Ｈav２よりも大きい。
【００１８】
さらに他の観点によれば、本発明に係る製造方法により、コアと、このコアの外側に位置するカバーとを備えたゴルフボールが製造される。この製造方法は、
そのキャビティ面に複数の微小凹みを有する金型に、材料を導入する工程、
この材料から、微小凹みの形状が反転した形状を有する微小突起を備えたカバーを成形する工程、
及び
このカバーの表面にペイント層を形成し、このペイント層から微小突起の一部を露出させて露出部を形成する工程
を含む。露出部の高さＨの平均値Ｈavは、０．５μｍ以上５０μｍ以下である。ゴルフボールの表面は、１又は２以上の第一ゾーンと、１又は２以上の第二ゾーンとを有する。これらの第一ゾーンにおける露出部の高さＨの平均値Ｈav１は、これらの第二ゾーンにおける露出部の高さＨの平均値Ｈav２よりも大きい。
【発明の効果】
【００１９】
本発明に係るゴルフボールでは、露出部が飛行中のゴルフボールの揚力を抑制する。非力なプレーヤーがドライバーでこのゴルフボールを打撃したとき、ホップが抑制される。しかもこの露出部は、抗力も抑制する。従ってこのゴルフボールでは、大きな飛距離が得られる。
【００２０】
このゴルフボールがショートアイアンで打撃されると、クラブフェースとの衝突によってクラブからボールに、エネルギーが伝達される。露出部は、このエネルギーのロスを抑制する。このゴルフボールは、大きなスピン速度を伴って飛行する。従ってこのゴルフボールは、コントロール性能に優れる。
【図面の簡単な説明】
【００２１】
【図１】図１は、本発明の一実施形態に係るゴルフボールが示された断面図である。
【図２】図２は、図１のゴルフボールが示された拡大正面図である。
【図３】図３は、図２のゴルフボールが示された平面図である。
【図４】図４は、図１のゴルフボールの一部が示された拡大断面図である。
【図５】図５は、図１のゴルフボールの表面の一部が示された拡大斜視図である。
【図６】図６は、図１のゴルフボールの一部が示された拡大断面図である。
【図７】図７は、図６のＶII−ＶII線に沿った断面図である。
【図８】図８は、図２のゴルフボールが示された模式的正面図である。
【図９】図９は、図３のゴルフボールが示された模式的平面図である。
【図１０】図１０は、本発明の他の実施形態に係るゴルフボールの一部が示された断面図である。
【図１１】図１１は、本発明のさらに他の実施形態に係るゴルフボールの一部が示された断面図である。
【図１２】図１２は、本発明の実施例８に係るゴルフボールが示された正面図である。
【図１３】図１３は、図１２のゴルフボールが示された平面図である。
【発明を実施するための形態】
【００２２】
以下、適宜図面が参照されつつ、好ましい実施形態に基づいて本発明が詳細に説明される。
【００２３】
図１に示されたゴルフボール２は、球状のコア４と、このコア４の外側に位置する中間層６と、この中間層６の外側に位置するカバー８とを有している。コア４、中間層６及びカバー８は、ゴルフボール２の本体１２に含まれる。このゴルフボール２は、ペイント層を有していない。このゴルフボール２は、その表面に多数のディンプル１４を有している。ゴルフボール２の表面のうちディンプル１４以外の部分は、ランド１６である。本体１２が、ワンピース構造、ツーピース構造、フォーピース構造、ファイブピース構造等を有してもよい。
【００２４】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。本実施形態に係るゴルフボール２では、その直径は、４２．７ｍｍである。
【００２５】
このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００２６】
好ましくは、コア４は、ゴム組成物が架橋されることによって形成されている。ゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００２７】
コア４が、樹脂組成物から形成されてもよい。コア４が、ゴム組成物と樹脂組成物との混合物から形成されてもよい。中間層６又はカバー８に関して後述される樹脂組成物が、コア４に用いられうる。
【００２８】
コア４のゴム組成物は、共架橋剤を含んでいる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２９】
コア４のゴム組成物が、充填剤、硫黄、加硫促進剤、硫黄化合物、老化防止剤、着色剤、可塑剤及び分散剤のような添加剤を含んでもよい。ゴム組成物が、カルボン酸又はカルボン酸塩を含んでもよい。ゴム組成物が、合成樹脂粉末又は架橋されたゴム粉末を含んでもよい。
【００３０】
コア４の直径は３０．０ｍｍ以上が好ましく、３８．０ｍｍ以上が特に好ましい。コア４の直径は４２．０ｍｍ以下が好ましく、４１．５ｍｍ以下が特に好ましい。コア４が、２以上の層を有してもよい。コア４が、その表面にリブを有してもよい。コア４が中空であってもよい。
【００３１】
中間層６は、樹脂組成物からなる。この樹脂組成物の好ましい基材ポリマーは、アイオノマー樹脂である。好ましいアイオノマー樹脂として、α−オレフィンと炭素数が３以上８以下のα，β−不飽和カルボン酸との二元共重合体が挙げられる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジウムイオンが例示される。
【００３２】
アイオノマー樹脂に代えて、又はアイオノマー樹脂と共に、中間層６の樹脂組成物が他のポリマーを含んでもよい。他のポリマーとして、ポリスチレン、ポリアミド、ポリエステル、ポリオレフィン及びポリウレタンが例示される。樹脂組成物が、２種以上のポリマーを含んでもよい。
【００３３】
中間層６の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。比重調整の目的で、この樹脂組成物がタングステン、モリブデン等の高比重金属の粉末を含んでもよい。
【００３４】
中間層６の厚みは０．２ｍｍ以上が好ましく、０．３ｍｍ以上が特に好ましい。中間層６の厚みは２．５ｍｍ以下が好ましく、２．２ｍｍ以下が特に好ましい。中間層６の比重は０．９０以上が好ましく、０．９５以上が特に好ましい。中間層６の比重は１．１０以下が好ましく、１．０５以下が特に好ましい。中間層６が、２以上の層を有してもよい。
【００３５】
カバー８は、熱可塑性樹脂組成物若しくは熱硬化性樹脂組成物又は両者の混合物から成形されている。好ましくは、カバー８は、熱可塑性樹脂組成物から成形される。この樹脂組成物の基材ポリマーとして、アイオノマー樹脂、熱可塑性ポリエステルエラストマー、熱可塑性ポリアミドエラストマー、熱可塑性ポリウレタンエラストマー、熱可塑性ポリオレフィンエラストマー及び熱可塑性ポリスチレンエラストマーが例示される。特に、アイオノマー樹脂が好ましい。アイオノマー樹脂は、高弾性である。アイオノマー樹脂を含むカバー８を有するゴルフボール２は、反発性能に優れる。このゴルフボール２は、ドライバーショットでの飛距離に優れる。中間層６に関して前述されたアイオノマー樹脂が、カバー８に用いられうる。
【００３６】
アイオノマー樹脂と他の樹脂とが併用されてもよい。併用される場合は、反発性能の観点から、アイオノマー樹脂が基材ポリマーの主成分とされる。全基材ポリマーに対するアイオノマー樹脂の比率は、５０質量％以上が好ましく、７０質量％以上がより好ましく、８０質量％以上が特に好ましい。
【００３７】
カバー８の樹脂組成物が、顔料を含んでもよい。樹脂組成物は、無機顔料及び有機顔料を含みうる。無機顔料として、べんがら（Ｆｅ２Ｏ３）、鉛丹（Ｐｂ３Ｏ４）、モリブデンレッド及びカドミウムレッドのような赤色顔料；チタンイエロー（ＴｉＯ２−ＮｉＯ−Ｓｂ２Ｏ３）、リサージ（ＰｂＯ）、黄鉛（ＰｂＣｒＯ４）、黄色酸化鉄（ＦｅＯ（ＯＨ））及びカドミウムイエローのような黄色顔料；コバルトブルー（ＣｏＯ・Ａｌ２Ｏ３）、プルシアンブルー及び群青のような青色顔料が例示される。有機顔料として、アゾ顔料、フタロシアニン顔料及びペリレン系顔料が例示される。アゾ顔料が、好ましい。アゾ顔料として、ピグメントイエロー−１、ピグメントイエロー−１２、ピグメントレッド３、ピグメントレッド５７及びピグメントオレンジ１３が例示される。
【００３８】
カバー８の樹脂組成物が、充填剤、分散剤、酸化防止剤、紫外線吸収剤、光安定剤、蛍光剤、蛍光増白剤等を適量含んでもよい。
【００３９】
カバー８の厚みは０．２ｍｍ以上が好ましく、０．３ｍｍ以上が特に好ましい。カバー８の厚みは２．５ｍｍ以下が好ましく、２．２ｍｍ以下が特に好ましい。カバー８の比重は０．９０以上が好ましく、０．９５以上が特に好ましい。カバー８の比重は１．１０以下が好ましく、１．０５以下が特に好ましい。カバー８が、２以上の層を有してもよい。
【００４０】
図２は図１のゴルフボール２が示された拡大正面図であり、図３はその平面図である。前述の通り、このゴルフボール２は、その表面に多数のディンプル１４を有している。それぞれのディンプル１４の輪郭は円である。このゴルフボール２は、直径の異なる複数種類のディンプル１４を有している。ディンプル１４の総数は、３３８個である。ゴルフボール２が円形ディンプル１４に代えて、又は円形ディンプル１４と共に、非円形ディンプルを有してもよい。図２において、符号Ｅｑで示されているのは赤道であり、符号Ｐｎで示されているのは北極点であり、符号Ｐｓで示されているのは南極点である。
【００４１】
図４には、ディンプル１４の中心及びゴルフボール２の中心を通過する平面に沿った、ゴルフボール２の断面が示されている。図４における上下方向は、ディンプル１４の深さ方向である。図４において二点鎖線１８で示されているのは、仮想球である。仮想球１８の表面は、ディンプル１４及び露出部（後に詳説）が存在しないと仮定されたときのゴルフボール２の表面である。仮想球１８の直径は、ゴルフボール２の直径と同一である。ディンプル１４は、仮想球１８の表面から凹陥している。ランド１６は、仮想球１８の表面と一致している。
【００４２】
図４において矢印Ｄｍで示されているのは、ディンプル１４の直径である。この直径Ｄｍは、ディンプル１４の両側に共通する接線Ｔｇが画かれたときの、一方の接点Ｅｄと他方の接点Ｅｄとの距離である。接点Ｅｄは、ディンプル１４のエッジでもある。エッジＥｄは、ディンプル１４の輪郭を画定する。
【００４３】
それぞれのディンプル１４の直径Ｄｍは、２．０ｍｍ以上６．０ｍｍ以下が好ましい。直径Ｄｍが２．０ｍｍ以上であるディンプル１４は、乱流化に寄与する。この観点から、直径Ｄｍは２．５ｍｍ以上がより好ましく、２．８ｍｍ以上が特に好ましい。直径Ｄｍが６．０ｍｍ以下であるディンプル１４は、実質的に球であるというゴルフボール２の本質を損ねない。この観点から、直径Ｄｍは５．５ｍｍ以下がより好ましく、５．０ｍｍ以下が特に好ましい。
【００４４】
非円形ディンプルの場合、この非円形ディンプルの面積と同じ面積を有する円形ディンプル１４が仮想される。この仮想されたディンプル１４の直径が、非円形ディンプルの直径と見なされる。
【００４５】
図４において両矢印Ｄｐで示されているのは、ディンプル１４の深さである。この深さＤｐは、ディンプル１４の最深部と接線Ｔｇとの距離である。全てのディンプル１４の深さＤｐが合計され、この合計がディンプル１４の総数で除されることにより、平均深さＤｐavが算出される。平均深さＤｐavは、８０μｍ以上２００μｍ以下が好ましい。平均深さＤｐavが８０μｍ以上であるゴルフボール２では、大きなランが達成されうる。この観点から、平均深さＤｐavは１００μｍ以上がより好ましく、１１０μｍ以上が特に好ましい。平均深さＤｐavが２００μｍ以下であるゴルフボール２では、大きなキャリーが達成されうる。この観点から、平均深さＤｐavは１８０μｍ以下がより好ましく、１６０μｍ以下が特に好ましい。
【００４６】
ディンプル１４の面積Ｓは、無限遠からゴルフボール２の中心を見た場合の、ディンプル１４の輪郭に囲まれた領域の面積である。円形ディンプル１４の場合、面積Ｓは下記数式によって算出される。
S = (Dm / 2)２ * π
【００４７】
十分なディンプル１４の総面積が達成されるとの観点から、ディンプル１４の総数Ｎは２５０個以上が好ましく、２８０個以上がより好ましく、３００個以上が特に好ましい。個々のディンプル１４が乱流化に寄与しうるとの観点から、総数Ｎは５００個以下が好ましく、４５０個以下がより好ましく、４００個以下が特に好ましい。
【００４８】
本発明において「ディンプルの容積」とは、ディンプル１４の輪郭を含む平面とディンプル１４の表面とに囲まれた部分の容積を意味する。大きなランが達成されうるとの観点から、ディンプル１４の総容積は２４０ｍｍ３以上が好ましく、２６０ｍｍ３以上がより好ましく、２７０ｍｍ３以上が特に好ましい。大きなキャリーが達成されうるとの観点から、総容積は４００ｍｍ３以下が好ましく、３６０ｍｍ３以下がより好ましく、３３０ｍｍ３以下が特に好ましい。
【００４９】
図５は、図１のゴルフボール２の表面の一部が示された拡大斜視図である。前述の通りこのゴルフボール２は、ペイント層を有していない。従って、カバー８の表面が、図５に示されたゴルフボール２の表面である。図５に示されるように、このカバー８は、その表面に多数の微小突起２０を備えている。それぞれの微小突起２０は、おおむね円柱形状を有する。図４から明らかなように、微小突起２０は、ディンプル１４の表面に形成されており、かつ、ランド１６の表面にも形成されている。それぞれの微小突起２０は、ゴルフボール２の半径方向外向きに起立している。微小突起２０が、ディンプル１４の表面のみに形成されてもよい。微小突起２０が、ランド１６の表面のみに形成されてもよい。ペイント層を有さないので、それぞれの微小突起２０は、全体として、ゴルフボール２の表面に露出している。ペイント層を有さないゴルフボール２では、この微小突起２０は、全体として、露出部２２（２２ａ、２２ｂ）である。
【００５０】
ゴルフボール２が地面に衝突したとき、又は地面を転がったとき、このゴルフボール２の表面に泥が接触することがある。露出部２２とこれに隣接する露出部２２との間を流路として泥が流れるので、この泥がゴルフボール２に付着しにくい。このゴルフボール２は、汚れにくい。このゴルフボール２は、防汚性に優れる。
【００５１】
露出部２２とこれに隣接する露出部２２との間では、水が流れやすい。従って、ゴルフボール２の表面に泥が付着しても、水で洗われると、この水が汚れを取り込んで流れる。このゴルフボール２では、汚れが除去されやすい。このゴルフボール２は、洗浄性に優れる。
【００５２】
この露出部２２は、飛行中のゴルフボール２の揚力を抑制する。非力なプレーヤーがドライバーでこのゴルフボール２を打撃したとき、ホップが抑制される。しかもこの露出部２２は、抗力も抑制する。従ってこのゴルフボール２では、大きな飛距離が得られる。
【００５３】
前述の通り、このゴルフボール２は、ペイント層を有していない。従って、ペイント層に起因するスピン速度の向上は、望めない。しかし、このゴルフボール２では、露出部２２が直接にクラブフェースと接触する。このゴルフボール２のクラブフェースとの摩擦係数は大きい。このゴルフボール２では、従来のゴルフボールに比べて大幅なスピン速度の低下は生じない。このゴルフボール２は、ショートアイアンでのショットにおけるコントロール性能に優れる。
【００５４】
図５には、第一列Ｉに属する複数の露出部２２ａと、第二列IIに属する複数の露出部２２ｂとが示されている。図５において矢印Ａで示される方向は、列の延在方向である。それぞれの列において、露出部２２は、等ピッチで並んでいる。換言すれば、露出部２２は規則的に並んでいる。第一列Ｉに属する露出部２２ａと第二列IIに属する露出部２２ｂとは、ジグザグに並んでいる。ゴルフボール２の表面の一部において、露出部２２が不規則に並んでもよい。ゴルフボール２の表面の全体において、露出部２２が不規則に並んでもよい。
【００５５】
図６は、図１のゴルフボール２の一部が示された拡大断面図である。図６には、本体１２の一部であるカバー８が示されている。カバー８は、微小突起２０（すなわち露出部２２）を有している。露出部２２は、ゴルフボール２の半径方向外向きに起立している。露出部２２は、他の部材に覆われてはいない。図６において符号２４で示されているのは、露出部２２の底面である。
【００５６】
図７は、図６のＶII−ＶII線に沿った断面図である。図７には、露出部２２の底面２４が示されている。前述の通り、微小突起２０は円柱形状を有する。従って、露出部２２の底面２４の形状は、円である。
【００５７】
図７において矢印Ｄで示されているのは、底面２４の直径であり、露出部２２の直径である。全ての露出部２２の直径Ｄが合計され、この合計が露出部２２の数で除されることにより、平均直径Ｄavが算出される。平均直径Ｄavは、５μｍ以上５０μｍ以下が好ましい。平均直径Ｄavが上記範囲内であるゴルフボール２は、非力なプレーヤーのドライバーショットにおいて飛行性能に優れる。このゴルフボールはさらに、ショートアイアンで打撃されたときのコントロール性能に優れる。これらの観点から、平均直径Ｄavは１５μｍ以上がより好ましく、２０μｍ以上が特に好ましい。同様の観点から、平均直径Ｄavは４０μｍ以下がより好ましく、３５μｍ以下が特に好ましい。
【００５８】
露出部２２の面積は、底面２４の面積として定義される。図６及び７に示された露出部２２の面積Ｓｐは、下記の数式によって算出されうる。
Sp = (D / 2)２ * π
【００５９】
全ての露出部２２の面積Ｓｐの合計の、ゴルフボール２の仮想球１８の表面積に対する比率Ｐｐは、７％以上が好ましい。比率Ｐｐが７％以上であるゴルフボール２は、非力なプレーヤーのドライバーショットにおいて飛行性能に優れる。このゴルフボールはさらに、ショートアイアンで打撃されたときのコントロール性能に優れる。これらの観点から、比率Ｐｐは１５％以上が好ましく、２０％以上が特に好ましい。ゴルフボール２のための金型の製造容易の観点から、この比率Ｐｐは５０％以下が好ましく、４０％以下がより好ましく、３５％以下が特に好ましい。
【００６０】
図７には、第一の露出部２２ｃの底面２４ｃと共に、二点鎖線にて、第二の露出部２２ｄの底面２４ｄも示されている。第二の露出部２２ｄは、第一の露出部２２ｃに隣接している。図７において二点鎖線２６で示されているのは、第一の露出部２２ｃの底面２４ｃの重心Ｏｃと、第二の露出部２２ｄの底面２４ｄの重心Ｏｄとを通過する直線である。
【００６１】
図７において矢印Ｐで示されているのは、ピッチである。ピッチＰは、第一の露出部２２ｃと、この第一の露出部２２ｃに隣接する第二の露出部２２ｄとの距離である。ピッチＰは、第一の露出部２２ｃの底面２４ｃの重心Ｏｃと、第二の露出部２２ｄの底面２４ｄの重心Ｏｄとの距離である。「第一の露出部２２ｃに隣接する第二の露出部２２ｄ」とは、第一の露出部２２ｃの周辺に存在する露出部２２のうち、第一の露出部２２ｃとの距離Ｌ（後に詳説）が最も小さい露出部２２である。
【００６２】
それぞれの露出部２２に、１つのピッチＰが決定される。全ての露出部２２のピッチＰが合計され、この合計が露出部２２の数で除されることにより、平均ピッチＰavが算出される。平均ピッチＰavは、１００μｍ以下が好ましい。平均ピッチＰavが１００μｍ以下であるゴルフボール２は、非力なプレーヤーのドライバーショットにおいて飛行性能に優れる。このゴルフボールはさらに、ショートアイアンで打撃されたときのコントロール性能に優れる。これらの観点から、平均ピッチＰavは８０μｍ以下がより好ましく、７０μｍ以下が特に好ましい。同様の観点から、平均ピッチＰavは１０μｍ以上が好ましく、２０μｍ以上がより好ましく、２５μｍ以上が特に好ましい。
【００６３】
図７において矢印Ｌで示されているのは、第一の露出部２２ｃとこの第一の露出部２２ｃに隣接する第二の露出部２２ｄとの間の距離である。距離Ｌは、ピッチＰから、第一の露出部２２ｃの底面２４ｃの半径、及び第二の露出部２２ｄの底面２４ｄの半径が減じられた値である。それぞれの露出部２２に、１つの距離Ｌが決定される。全ての露出部２２の距離Ｌが合計され、この合計が露出部２２の数で除されることにより、平均距離Ｌavが算出される。平均距離Ｌavは、５μｍ以上５０μｍ以下が好ましい。平均距離Ｌavがこの範囲内であるゴルフボール２は、非力なプレーヤーのドライバーショットにおいて飛行性能に優れる。このゴルフボールはさらに、ショートアイアンで打撃されたときのコントロール性能に優れる。これらの観点から、平均距離Ｌavは１０μｍ以上４０μｍ以下が特に好ましい。
【００６４】
図６において矢印Ｈで示されているのは、微小突起２０の高さであり、露出部２２の高さである。高さＨは、ゴルフボール２の半径方向に沿って測定される。全ての露出部２２の高さＨが合計され、この合計が露出部２２の数で除されることにより、平均高さＨavが算出される。平均高さＨavは、０．５μｍ以上５０μｍ以下が好ましい。平均高さＨavがこの範囲内であるゴルフボール２は、非力なプレーヤーのドライバーショットにおいて飛行性能に優れる。このゴルフボールはさらに、ショートアイアンで打撃されたときのコントロール性能に優れる。これらの観点から、平均高さＨavは２μｍ以上が好ましく、３μｍ以上が特に好ましい。同様の観点から、平均高さＨavは４０μｍ以下がより好ましく、３５μｍ以下が特に好ましい。
【００６５】
露出部２２の総数は、１万個以上１０００万個以下が好ましい。総数が１万個以上であるゴルフボール２は、非力なプレーヤーのドライバーショットにおいて飛行性能に優れる。このゴルフボールはさらに、ショートアイアンで打撃されたときのコントロール性能に優れる。これらの観点から、総数は２万個以上がより好ましく、５万個以上が特に好ましい。総数が１０００万個以下であるゴルフボール２の金型は、製造が容易である。この観点から、総数は７００万個以下がより好ましく、５００万個以下が特に好ましい。
【００６６】
図８は図２のゴルフボール２が示された正面図であり、図９はその平面図である。図９は、このゴルフボール２の底面図でもある。ゴルフボール２の表面に存在するゾーンの説明の便宜の目的で、図８及び９では、ゴルフボール２が模式的に画かれている。図８及び９では、ディンプル１４の図示が省略されている。
【００６７】
このゴルフボール２は、１つの低緯度部２８と、２つの高緯度部３０とを有している。図８及び９において低緯度部２８は、説明の便宜上、網点で塗りつぶされている。それぞれの高緯度部３０は、４つの第一球面三角形３２と、４つの第二球面三角形３４とを有している。図８及び９において、第一球面三角形３２は、説明の便宜上、網点で塗りつぶされている。第二球面三角形３４は、塗りつぶされていない。図９に示されるように、これらの第一球面三角形３２及び第二球面三角形３４は、北極点Ｐｎ（又は南極点Ｐｓ）を中心として、放射状に広がっている。これらの第一球面三角形３２及び第二球面三角形３４は、経度方向に沿って交互に配置されている。ゴルフボール２が２つの高緯度部３０を有するので、第一球面三角形３２の合計数は８であり、第二球面三角形３４の合計数は８である。
【００６８】
本実施形態では、低緯度部２８は、第一ゾーン３６である。それぞれの第一球面三角形３２も、第一ゾーン３６である。これらの第一ゾーン３６は、説明の便宜上、網点で塗りつぶされている。一方、それぞれの第二球面三角形３４は、第二ゾーン３８である。これらの第二ゾーン３８は、塗りつぶされていない。
【００６９】
全ての第一ゾーン３６に属する全ての露出部２２の高さＨの平均値Ｈav１は、全ての第二ゾーン３８に属する全ての露出部２２の高さＨの平均値Ｈav２よりも、大きい。このゴルフボール２の表面には、平均高さＨavが大きなゾーンと、平均高さＨavが小さなゾーンとが混在している。この混在は、ゴルフボール２がドライバーで打撃されたときの抗力を抑制する。このゴルフボール２は、ドライバーでのショットにおける飛行性能に優れる。好ましくは、それぞれの第一ゾーン３６における高さＨの平均値は、いずれの第二ゾーン３８における高さＨの平均値よりも大きい。
【００７０】
好ましくは、平均値Ｈav１（μｍ）と平均値Ｈav２（μｍ）とは、下記数式を満たす。
３ ≦ （Ｈav１ − Ｈav２） ≦ ５０
換言すれば、差（Ｈav１−Ｈav２）は、３μｍ以上５０μｍ以下が好ましい。このゴルフボール２では、抗力が抑制されうる。この観点から、差（Ｈav１−Ｈav２）は４５μｍ以下がより好ましく、４０μｍ以下が特に好ましい。
【００７１】
平均値Ｈav１は１μｍ以上６０μｍ以下が好ましく、２μｍ以上５０μｍ以下が特に好ましい。平均値Ｈav２は、０．０μｍ以上５５μｍ以下が好ましく、１μｍ以上５０μｍ以下が特に好ましい。平均値Ｈav２が０．０μｍである第二ゾーン３８は、露出部２２を有さない。
【００７２】
ゴルフボール２が下記数式を満たすことが好ましい。
１ ≦ （Ｓ１ ／ Ｓ２） ≦ １９
この数式においてＳ１は、全ての第一ゾーン３６の合計面積の、ゴルフボール２の仮想球１８の表面積に対する比を表す。この数式においてＳ２は、全ての第二ゾーン３８の合計面積の、ゴルフボール２の仮想球１８の表面積に対する比を表す。それぞれの第一ゾーン３６の面積は、仮想球１８の表面のうち、その第一ゾーン３６に囲まれた部分の面積である。それぞれの第二ゾーン３８の面積は、仮想球１８の表面のうち、その第二ゾーン３８に囲まれた部分の面積である。
【００７３】
上記数式を満たすゴルフボール２、換言すれば、比（Ｓ１／Ｓ２）が１以上１９以下であるゴルフボール２では、ゴルフボール２がドライバーで打撃されたときの抗力が抑制される。このゴルフボール２は、ドライバーでのショットにおける飛行性能に優れる。飛行性能の観点から、比（Ｓ１／Ｓ２）は２以上がより好ましく、３以上が特に好ましい。飛行性能の観点から、比（Ｓ１／Ｓ２）は１５以下がより好ましく、１３以下が特に好ましい。
【００７４】
それぞれの第一ゾーン３６の算術平均高さＳａ１は、１．０μｍ以上４０μｍ以下が好ましい。算術平均高さＳａ１が１．０μｍ以上であるゴルフボール２では、露出部２２が揚力及び抗力を抑制する。このゴルフボール２では、大きなキャリー及びランが達成されうる。この観点から、算術平均高さＳａ１は１．５μｍ以上がより好ましく、２．０μｍ以上が特に好ましい。算術平均高さＳａ１が４０μｍ以下であるゴルフボール２では、露出部２２が揚力を抑制しすぎない。このゴルフボール２では、大きなキャリーが達成されうる。この観点から、算術平均高さＳａ１は３０μｍ以下がより好ましく、２０μｍ以下が特に好ましい。
【００７５】
それぞれの第二ゾーン３８の算術平均高さＳａ２は、０．３μｍ以上３０μｍ以下が好ましい。算術平均高さＳａ２が０．３μｍ以上であるゴルフボール２では、露出部２２が揚力及び抗力を抑制する。このゴルフボール２では、大きなキャリー及びランが達成されうる。この観点から、算術平均高さＳａ２は０．５μｍ以上がより好ましく、１．０μｍ以上が特に好ましい。算術平均高さＳａ２が３０μｍ以下であるゴルフボール２では、露出部２２が揚力を抑制しすぎない。このゴルフボール２では、大きなキャリーが達成されうる。この観点から、算術平均高さＳａ２は２５μｍ以下がより好ましく、１５μｍ以下が特に好ましい。
【００７６】
好ましくは、それぞれの第一ゾーン３６における算術平均高さＳａ１は、いずれの第二ゾーン３８における算術平均高さＳａ２よりも大きい。換言すれば、算術平均高さＳａ１が最も小さい第一ゾーン３６における算術平均高さＳａ１が、算術平均高さＳａ２が最も大きい第二ゾーン３８における算術平均高さＳａ２よりも大きいことが好ましい。算術平均高さＳａ１が最も小さい第一ゾーン３６における算術平均高さＳａ１と、算術平均高さＳａ２が最も大きい第二ゾーン３８における算術平均高さＳａ２との差は、０．５μｍ以上が好ましく、１．０μｍ以上がより好ましく、２．０μｍ以上が特に好ましい。この差は、２０μｍ以下が好ましい。
【００７７】
それぞれの第一ゾーン３６の最大高さＳｚ１は、７μｍ以上２００μｍ以下が好ましい。最大高さＳｚ１が７μｍ以上であるゴルフボール２では、露出部２２が揚力及び抗力を抑制する。このゴルフボール２では、大きなキャリー及びランが達成されうる。この観点から、最大高さＳｚ１は１０μｍ以上がより好ましく、２０μｍ以上が特に好ましい。最大高さＳｚ１が２００μｍ以下であるゴルフボール２では、露出部２２が揚力を抑制しすぎない。このゴルフボール２では、大きなキャリーが達成されうる。この観点から、最大高さＳｚ１は１５０μｍ以下がより好ましく、１００μｍ以下が特に好ましい。
【００７８】
それぞれの第二ゾーン３８の最大高さＳｚ２は、３μｍ以上２００μｍ以下が好ましい。最大高さＳｚ２が３μｍ以上であるゴルフボール２では、露出部２２が揚力及び抗力を抑制する。このゴルフボール２では、大きなキャリー及びランが達成されうる。この観点から、最大高さＳｚ２は５μｍ以上がより好ましく、１０μｍ以上が特に好ましい。最大高さＳｚ２が２００μｍ以下であるゴルフボール２では、露出部２２が揚力を抑制しすぎない。このゴルフボール２では、大きなキャリーが達成されうる。この観点から、最大高さＳｚ２は１５０μｍ以下がより好ましく、１００μｍ以下が特に好ましい。
【００７９】
好ましくは、それぞれの第一ゾーン３６における最大高さＳｚ１は、いずれの第二ゾーン３８における最大高さＳｚ２よりも大きい。換言すれば、最大高さＳｚ１が最も小さい第一ゾーン３６における最大高さＳｚ１が、最大高さＳｚ２が最も大きい第二ゾーン３８における最大高さＳｚ２よりも大きいことが好ましい。最大高さＳｚ１が最も小さい第一ゾーン３６における最大高さＳｚ１と、最大高さＳｚ２が最も大きい第二ゾーン３８における最大高さＳｚ２との差は、０．５μｍ以上が好ましく、１．０μｍ以上がより好ましく、２．０μｍ以上が特に好ましい。この差は、２０μｍ以下が好ましい。
【００８０】
算術平均高さＳａ１及びＳａ２並びに最大高さＳｚ１及びＳｚ２は、ＩＳＯ−２５１７８の規定に準拠して、レーザー顕微鏡（例えばキーエンス社の非接触式表面粗さ・形状測定器）によって測定される。この顕微鏡では、ゴルフボール２の表面にてレーザーがＸ方向及びＹ方向に走査される。この走査により、ゴルフボール２の表面の凹凸データが取得される。これによって得られた三次元画像から、算術平均高さ及び最大高さが算出される。測定条件は、以下の通りである。
倍率：１０００
測定範囲Ｘ：２５０μｍ
測定範囲Ｙ：２５０μｍ
カットオフ値：λｃ＝０．２５
観察領域：Ｘ＝１０２４ピクセル、Ｙ＝７６８ピクセル
総画素数：７８６４３２ピクセル
【００８１】
このゴルフボール２の製造には、既知の成形法が採用されうる。典型的な方法は、圧縮成形法及び射出成形法である。いずれの方法でも、そのキャビティ面に複数のピンプルと複数の微小凹みとを有するモールドが用いられる。このモールドに導入された材料から、カバー８が成形される。このカバー８には、微小凹みの形状が反転した形状を有する微小突起２０が形成される。この微小突起２０が、露出部２２である。
【００８２】
この製造方法では、モールドの設計において、露出部２２の形状のコントロールがなされうる。この製造方法で得られたゴルフボール２の露出部２２の配置には、設計者の意図が反映されうる。この製造方法で得られたゴルフボール２では、多数の露出部２２が、規則的に又は整然と並びうる。
【００８３】
カバー８が成形された後に、このカバー８の表面が研磨されることで、露出部２２の仕様が調整されてもよい。カバー８の表面の一部が選択的に研磨されることで、第二ゾーン３８が形成されてもよい。
【００８４】
第一ゾーン３６及び第二ゾーン３８の配置に、多面体が用いられてもよい。仮想球１８に内接する多面体の稜線がこの仮想球１８の表面に投影されることで形成される区画線により、この仮想球１８の表面が複数の球面多角形に区画される。それぞれの球面多角形に、第一ゾーン３６又は第二ゾーン３８が割り当てられる。好ましい多面体として、正多面体及び準正多面体が挙げられる。正多面体として、正八面体、正十二面体及び正二十面体が例示される。準正多面体として、立方八面体及び十二・二十面体が例示される。仮想球１８の表面が、ジオデシック多面体によって区画されてもよい。
【００８５】
それぞれのディンプル１４が第一ゾーン３６とされ、ランド１６が第二ゾーン３８とされてもよい。それぞれのディンプル１４が第二ゾーン３８とされ、ランド１６が第一ゾーン３６とされてもよい。
【００８６】
第一ゾーン３６及び第二ゾーン３８の配置方法は、前述のものには限られない。任意の配置方法が、採用されうる。ゴルフボール２が、第一ゾーン３６ではなくかつ第二ゾーン３８でもないゾーンを、有してもよい。
【００８７】
図１０は、本発明の他の実施形態に係るゴルフボールの一部が示された断面図である。図１０には、本体の一部であるカバー４０が示されている。カバー４０は、微小突起４２を有している。このゴルフボールは、ペイント層を有していない。従って、微小突起４２は、全体として、露出部４４である。図１０において符号４６で示されているのは、露出部４４の底面である。
【００８８】
微小突起４２は、円錐台形状を有する。従って、露出部４４も、円錐台形状を有する。このゴルフボールの、微小突起４２の形状（すなわち露出部４４の形状）以外のスペックは、図１−９に示されたゴルフボール２のスペックと同じである。このゴルフボールも、図８及び９に示された第一ゾーン３６及び第二ゾーン３８を有している。
【００８９】
このゴルフボールでも、露出部４４は、ドライバーでのショットにおける飛距離に寄与する。このゴルフボールでも、第一ゾーン３６及び第二ゾーン３８の混在が、空力特性に寄与する。
【００９０】
図１１は、本発明のさらに他の実施形態に係るゴルフボールの一部が示された断面図である。このゴルフボールは、カバー４８とペイント層５０とを有している。カバー４８は、微小突起５２を有している。ペイント層５０は、薄い。従って、微小突起５２の一部は、ペイント層５０に覆われていない。換言すれば、微小突起５２の一部は、ゴルフボールの表面に露出している。この部分は、露出部５４と称される。露出部５４は、ペイント層５０から突出している。図１１において符号５６で示されているのは、露出部５４の底面である。このゴルフボールも、図８及び９に示された第一ゾーン３６及び第二ゾーン３８を有している。
【００９１】
このゴルフボールでも、露出部５４は、ドライバーでのショットにおける飛距離に寄与する。このゴルフボールでも、第一ゾーン３６及び第二ゾーン３８の混在が、空力特性に寄与する。
【００９２】
このゴルフボールの製造には、図１−９に示されたゴルフボールの製造と同様の成形法が採用されうる。典型的な方法は、圧縮成形法及び射出成形法である。いずれの方法でも、そのキャビティ面に複数のピンプルと複数の微小凹みとを有するモールドが用いられる。このモールドに導入された材料から、カバー４８が成形される。このカバー４８には、微小凹みの形状が反転した形状を有する微小突起５２が形成される。このカバー４８の上にペイント層５０が形成される。微小突起５２の一部がペイント層５０から露出して、露出部５４を形成する。
【００９３】
ゴルフボールが、円錐、角柱、角錐台、角錐、部分球等の形状を有する微小突起を有してもよい。
【実施例】
【００９４】
以下、実施例によって本発明の効果が明らかにされるが、この実施例の記載に基づいて本発明が限定的に解釈されるべきではない。
【００９５】
［実施例１］
１００質量部のハイシスポリブタジエン（ＪＳＲ社の商品名「ＢＲ−７３０」）、２７．４質量部のアクリル酸亜鉛、５質量部の酸化亜鉛、適量の硫酸バリウム、０．５質量部のジフェニルジスルフィド及び０．９質量部のジクミルパーオキサイドを混練し、ゴム組成物を得た。このゴム組成物を共に半球状キャビティを備えた上型及び下型からなる金型に投入し、１６０℃で２０分間加熱して、直径が３８．２０ｍｍであるコアを得た。所定の質量のコアが得られるように、硫酸バリウムの量を調整した。
【００９６】
２６質量部のアイオノマー樹脂（三井デュポンポリケミカル社の商品名「ハイミランＡＭ７３３７」）、２６質量部の他のアイオノマー樹脂（三井デュポンポリケミカル社の商品名「ハイミランＡＭ７３２９」）、４８質量部のスチレンブロック含有熱可塑性エラストマー（三菱化学社の商品名「テファブロックＴ３２２１Ｃ」）、４質量部の二酸化チタン（Ａ２２０）及び０．２質量部の光安定剤（城北化学工業社の商品名「ＪＦ−９０」）を二軸混練押出機で混練し、樹脂組成物を得た。この樹脂組成物を射出成形法にてコアの周りに被覆し、中間層を形成した。この中間層の厚みは、１．００ｍｍであった。
【００９７】
４７質量部のアイオノマー樹脂（三井デュポンポリケミカル社の商品名「ハイミラン１５５５」）、４６質量部の他のアイオノマー樹脂（三井デュポンポリケミカル社の商品名「ハイミラン１５５７」）、７質量部のスチレンブロック含有熱可塑性エラストマー（前述の「テファブロックＴ３２２１Ｃ」）、４質量部の二酸化チタン（Ａ２２０）及び０．２質量部の光安定剤（前述の「ＪＦ−９０」）を二軸混練押出機で混練し、樹脂組成物を得た。キャビティ面に多数のピンプル及び微小凹みを有するファイナル金型に、コア及び中間層からなる球を投入した。上記樹脂組成物を射出成形法にて中間層の周りに被覆し、カバーを形成した。このカバーの厚みは、１．２５ｍｍであった。カバーには、ピンプルの形状が反転した形状を有するディンプルが形成された。カバーにはさらに、微小凹みの形状が反転した形状を有する微小突起（露出部）が形成された。
【００９８】
［実施例２−１１及び比較例１−３］
ファイナル金型を変更し、下記の表１−３に示される仕様の露出部を形成した他は実施例１と同様にして、実施例２−１１及び比較例１−３のゴルフボールを得た。実施例５に係るゴルフボールの第二ゾーンは、露出部を有していない。比較例１に係るゴルフボールでは、その表面に均一に露出部が配置されている。
【００９９】
［比較例４］
ファイナル金型を変更して微小突起を有さないカバーを形成し、このカバーの上にペイント層を設けた他は実施例１と同様にして、比較例４のゴルフボールを得た。
【０１００】
［スピン速度］
ゴルフラボラトリー社のスイングマシンに、サンドウェッジ（クリーブランドゴルフ社の商品名「ＣＧ１５フォージドウェッジ」、ロフト：５２°）を装着した。ヘッド速度が１６ｍ／ｓｅｃである条件でゴルフボールを打撃して、スピン速度を測定した。２０回の測定で得られたデータの平均値が、下記の表１−３に示されている。
【０１０１】
［フライトテスト］
ゴルフラボラトリー社のスイングマシンに、ドライバー（住友ゴム工業社の商品名「ＸＸＩＯ  １０」、シャフト硬度：Ｒ、ロフト：１１°）を装着した。ヘッド速度が３５ｍ／ｓｅｃである条件でゴルフボールを打撃して、キャリー及びランを測定した。このキャリー及びランに基づき、飛距離を算出した。テスト時は、ほぼ無風であった。落下地点は、平坦な芝生であった。２０回の測定で得られたデータの平均値が、下記の表１−３に示されている。
【０１０２】
【表１】
2020138009.tif 000003
【０１０３】
Ｄav１：第一ゾーンにおける微小突起の直径Ｄの平均値
Ｐav１：第一ゾーンにおける微小突起のピッチＰの平均値
Ｐｐ１：第一ゾーンにおける微小突起の面積率
Ｄav２：第二ゾーンにおける微小突起の直径Ｄの平均値
Ｐav２：第二ゾーンにおける微小突起のピッチＰの平均値
Ｐｐ２：第二ゾーンにおける微小突起の面積率
【０１０４】
【表２】
2020138009.tif 000004
【０１０５】
【表３】
2020138009.tif 000005
【０１０６】
表１−３に示されるように、各実施例のゴルフボールは、ショートアイアンでのショットにおけるコントロール性能に優れる。このゴルフボールはさらに、低いヘッド速度でのドライバーショットにおける飛行性能に優れる。この評価結果から、本発明の優位性は明らかである。
【産業上の利用可能性】
【０１０７】
前述の微小突起は、スリーピースゴルフボールのみならず、ワンピースゴルフボール、ツーピースゴルフボール、フォーピースゴルフボール、ファイブピースゴルフボール、シックスピースゴルフボール、糸巻きゴルフボール等、様々な構造を有するゴルフボールに適用されうる。
【符号の説明】
【０１０８】
２・・・ゴルフボール
４・・・コア
６・・・中間層
８、４０、４８・・・カバー
１２・・・本体
１４・・・ディンプル
１６・・・ランド
１８・・・仮想球
２０、４２、５２・・・微小突起
２２、２２ａ、２２ｂ、２２ｃ、２２ｄ、４４、５４・・・露出部
２４、４６、５６・・・底面
２８・・・低緯度部
３０・・・高緯度部
３２・・・第一球面三角形
３４・・・第二球面三角形
３６・・・第一ゾーン
３８・・・第二ゾーン
５０・・・ペイント層
【図１】
2020138009.tif 000006
【図２】
2020138009.tif 000007
【図３】
2020138009.tif 000008
【図４】
2020138009.tif 000009
【図５】
2020138009.tif 000010
【図６】
2020138009.tif 000011
【図７】
2020138009.tif 000012
【図８】
2020138009.tif 000013
【図９】
2020138009.tif 000014
【図１０】
2020138009.tif 000015
【図１１】
2020138009.tif 000016
【図１２】
2020138009.tif 000017
【図１３】
2020138009.tif 000018